(57)【特許請求の範囲】
【請求項１】
ゲーム機の前扉の内側に施錠装置が固定され、該ゲーム機の本体枠内に受け具本体が固定され、該前扉の閉鎖施錠時に該施錠装置の係止部材が該受け具本体の係止ピンに係止されて施錠される施錠装置の受け具において、
該施錠装置の基枠体に、該本体枠側の受け具本体に向けて滑り支持部材が取り付けられ、該滑り支持部材は上面、下面、及び左右の側面を有し、該受け具本体は、該滑り支持部材の上面、下面、及び左右の側面を包囲可能に形成され、
該前扉の閉鎖施錠時、該施錠装置の基枠体の滑り支持部材が該受け具の受け支持部内に進入し、該滑り支持部材の上面、下面、及び左右側面が、該受け支持部内の上壁、下壁、及び左右の側壁に接触して支持されることを特徴とする施錠装置の受け具。
【請求項２】
前記受け支持部は、前記受け具本体に、正面視略コ字状に曲折した金属板を固定し、前記一方の側壁を、弾性変形可能に先端部を内側に傾斜させて形成され、該受け支持部の該上壁と下壁は、前記滑り支持部材の進入方向に向かってその間が狭くなるように傾斜して形成されたことを特徴とする請求項１記載の施錠装置の受け具。
【請求項３】
ゲーム機の前扉の内側に施錠装置が固定され、該ゲーム機の本体枠内に受け具本体が固定され、該前扉の閉鎖施錠時に該施錠装置の係止部材が該受け具本体の係止ピンに係止されて施錠される施錠装置の受け具において、
該施錠装置の基枠体に、該本体枠側の受け具本体に向けて支持ローラが取り付けられ、該受け具本体には該支持ローラが内側に進入可能な受け支持部が設けられ、該受け支持部は、上壁、下壁、及び少なくとも一方の側の側壁を有して、該支持ローラが内側に進入可能に形成され、
該前扉の閉鎖施錠時、該施錠装置の基枠体の支持ローラが該受け支持部内に進入し、該支持ローラの周面が該受け支持部内の上壁、下壁に接触し、該支持ローラの一方の側面が上記一方の側壁に接触して支持されることを特徴とする施錠装置の受け具。
【請求項４】
前記受け具本体には、平面を略Ｌ字状に曲折した曲折保持部が取付部に設けられ、前記係止ピンの両端が、該取付部と、該取付部に平行な該曲折保持部の先端曲げ部との間で固定支持され、施錠時、施錠装置の係止部材が受け具の係止ピンに係止されたとき、曲折保持部によって該係止部材が覆われた状態となることを特徴とする請求項１または３記載の施錠装置の受け具。
【発明の詳細な説明】
【技術分野】
【０００１】
本発明は、スロットマシン、パチンコ機などのゲーム機用の施錠装置に使用される受け具に関し、特に、受け具に施錠装置の係止部材が係止される際、受け具の受け支持部に、施錠装置側の滑り支持部材または支持ローラが滑りながら嵌め込まれて支持される構造の施錠装置の受け具に関する。
【背景技術】
【０００２】
従来、パチンコ機、スロットマシンなどのゲーム機用の施錠装置として、基枠体の支持板に開口凹部を設け、係止部材として、溝状のラッチ凹部を設けた略卵型のラッチ部材を、基枠体の支持板に回動可能に枢支し、施錠時、その開口凹部からラッチ部材のラッチ凹部内に、本体枠側に固定した受け金具の係止ピンを、嵌め入れながらラッチ部材を回動させ、作動杆に突設した係止凸部に、ラッチ部材の係合部を係合させて、ラッチ部材をロックする施錠装置が、下記特許文献１などで知られている。
【先行技術文献】
【特許文献】
【０００３】
【特許文献１】特許第３０８７０２４号公報
【発明の概要】
【発明が解決しようとする課題】
【０００４】
この施錠装置では、施錠装置を取り付けた前面枠（前扉）を、受け金具を固定した本体枠（キャビネット）に対し施錠する場合、前面枠を本体枠に対し閉じることにより、施錠装置のラッチ部材を本体枠側の受け金具の係止ピンに近づけ、このとき、係止ピンを受け金具のラッチ凹部に嵌め入れながら、ラッチ部材を回動させ、ラッチ凹部の開口部が内側のラッチ位置に回動したとき、作動杆の係止部をラッチ部材の係合部に係合させてロックし、施錠する。
【０００５】
しかし、この種の施錠装置は、係止ピンが支持板の開口凹部からラッチ部材のラッチ凹部に進入すると共に、ラッチ部材が回動して係止ピンを引き込むようにロックされ、係止ピンとラッチ凹部との嵌め合いが円滑に行なわれ、スムーズに施錠することができるものの、比較的小型の係止部材としてのラッチ部材のラッチ凹部と係止ピンとの係合により施錠される構造であり、また、受け具の係止ピンは、その基部が受け金具本体に固定され、所謂片持ち式で取り付けられていたため、閉鎖施錠時の施錠装置と受け具の係合に、位置ずれやがたつきが生じる虞があった。
【０００６】
本発明は、上述の課題を解決するものであり、前扉の閉鎖施錠時、施錠装置と受け具を係止部材に対しがたつきなく強固に係止させ、閉鎖時の前扉を定位置に保持することができる施錠装置の受け具を提供することを目的とする。
【課題を解決するための手段】
【０００７】
上記目的を達成するために、本願の請求項１の施錠装置の受け具は、ゲーム機の前扉の内側に施錠装置が固定され、該ゲーム機の本体枠（キャビネット）内に受け具本体が固定され、該前扉の閉鎖施錠時に該施錠装置の係止部材が該受け具本体の係止ピンに係止されて施錠される施錠装置の受け具において、
該施錠装置の基枠体に、該本体枠側の受け具本体に向けて滑り支持部材が取り付けられ、該滑り支持部材は上面、下面、及び左右の側面を有し、該受け具本体の受け支持部は、該滑り支持部材の上面、下面、及び左右の側面を包囲可能に形成され、該前扉の閉鎖施錠時、該施錠装置の基枠体の滑り支持部材が該受け支持部内に進入し、該滑り支持部材の上面、下面、及び左右側面が、該受け支持部内の上壁、下壁、及び左右の側壁に接触して支持されることを特徴とする。
【０００８】
この発明によれば、ゲーム機の本体枠に対し前扉を閉鎖して施錠した際、施錠装置の基枠体の滑り支持部材が受け具の受け支持部内に進入し、滑り支持部材の上面、下面、及び左右側面が、受け支持部内の上壁、下壁、及び左右の側壁に接触して支持される状態となるので、前扉の重量を支持すると共に、施錠装置の係止部材と受け具の係合状態を、がたつきなく強固に保持し、閉鎖時の前扉を定位置に保持することができる。また、不正な外力がゲーム機の前扉の上下方向或いは左右方向に加えられた場合でも、滑り支持部材と受け支持部間でその外力を支持し、前扉の位置ずれを防止することができる。
【０００９】
ここで、上記受け支持部は、受け具本体に、正面視略コ字状に曲折した金属板を固定し、上記一方の側壁が先端部を弾性変形可能に内側に傾斜させて形成され、該受け支持部の該上壁と下壁は、上記滑り支持部材の進入方向に向かってその間が狭くなるように傾斜して形成するとよい。
【００１０】
これによれば、前扉の閉鎖施錠時、施錠装置の基枠体の滑り支持部材が受け具の受け支持部内に進入したとき、滑り支持部材の上面、下面、及び左右側面が、確実に、受け支持部内の上壁、下壁、左右の側壁に確実に接触し、前扉の重量を支持すると共に、施錠装置と受け具の係合状態を、一層がたつきなく強固に保持することができる。
【００１１】
本願の別の施錠装置の受け具は、ゲーム機の前扉の内側に施錠装置が固定され、該ゲーム機の本体枠内に受け具本体が固定され、該前扉の閉鎖施錠時に該施錠装置の係止部材が該受け具本体の係止ピンに係止されて施錠される施錠装置の受け具において、
該施錠装置の基枠体に、該本体枠側の受け具本体に向けて支持ローラが取り付けられ、該受け具本体には該支持ローラが内側に進入可能な受け支持部が設けられ、該受け支持部内には上壁、下壁、及び少なくとも一方の側の側壁が設けられて該支持ローラが該受け支持部内に進入可能に形成され、該前扉の閉鎖施錠時、該施錠装置の基枠体の支持ローラが該受け支持部内に進入し、該支持ローラの周面が、該受け支持部内の上壁、下壁に接触し、該支持ローラの一方の側面が上記一方の側壁に接触して支持されることを特徴とする。
【００１２】
この発明によれば、ゲーム機の本体枠に対し前扉を閉鎖して施錠した際、施錠装置の基枠体の支持ローラが受け具の受け支持部内に進入し、支持ローラの周面が、受け支持部内の上壁、下壁に接触し、支持ローラの一方の側面が受け支持部内の一方の側壁に接触して支持されるので、前扉の重量を支持すると共に、施錠装置の係止部材と受け具の係合状態を、がたつきなく強固に保持することができる。また、不正な外力がゲーム機の前扉の上下方向或いは左右方向に加えられた場合、支持ローラと受け支持部間でその外力を支持し、前扉の位置ずれを防止することができる。
【００１３】
さらに、上記受け具本体には、平面を略Ｌ字状に曲折した曲折保持部が取付部に設けられ、上記係止ピンの両端が、該取付部と、該取付部に平行な該曲折保持部の先端曲げ部との間で固定支持され、施錠時、施錠装置の係止部材が受け具の係止ピンに係止されたとき、曲折保持部によって係止部材が覆われた状態とすることができる。
【００１４】
これによれば、受け具の係止ピンの基部と先端の両端が、受け具の取付部と曲折保持部との間で強固に保持されるので、施錠時、係止部材が係止ピンに係止されたとき、がたつきなく強固に係止状態を保持することができる。また、係止部材とそこに係止される係止ピンが曲折保持部により覆われてガードされることとなるので、不正解錠を目的としてゲーム機内に不正器具などが差し込まれたとき、ラッチ部材や係止ピンに対し不正アクセスする行為を阻止することができる。
【発明の効果】
【００１５】
本発明の施錠装置の受け具によれば、ゲーム機の前扉を閉鎖し施錠したとき、前扉の重量を支持すると共に、施錠装置と受け具をがたつきなく強固に係合させ、前扉を定位置に保持することができる。
【図面の簡単な説明】
【００１６】
【図１】本発明の一実施形態を示す施錠装置の受け具の正面図である。
【図２】同受け具の平面図である。
【図３】同受け具の左側面図である。
【図４】斜め前方から見た同受け具の斜視図である。
【図５】斜め後方から見た同受け具の斜視図である。
【図６】施錠装置本体の左前方から見た斜視図である。
【図７】同施錠装置本体の右前方から見た斜視図である。
【図８】同施錠装置本体の後方から見た斜視図である。
【図９】同施錠装置本体の平面図である。
【図１０】（ａ）（ｂ）はラッチ部材の構造を示す部分拡大斜視図である。
【図１１】カバー２３ｂを外した状態の施錠装置本体の後方からの斜視図である。
【図１２】施錠装置本体と受け具本体との位置関係を示す斜視図である。
【図１３】使用状態を示す施錠装置本体と受け具本体の左側面図である。
【図１４】使用状態における施錠時の施錠装置本体と受け具本体の平面図である。
【図１５】施錠時の施錠装置本体と受け具本体の左側面図である。
【図１６】施錠時の施錠装置本体と受け具本体の背面から見た斜視図である。
【図１７】他の実施形態の施錠装置本体と受け具本体の斜視図である。
【図１８】同施錠時の施錠装置本体と受け具本体の拡大平面図である。
【図１９】同施錠時の施錠装置本体と受け具本体の斜視図である。
【発明を実施するための形態】
【００１７】
以下、本発明の一実施形態を図面に基づいて説明する。図１はゲーム機の施錠装置に使用する受け具の正面図を示し、図２はその平面図を、図３はその左側面図を、図４，５はその斜視図を示している。なお、図において、矢印Ｆは施錠装置の受け具の前方を示し、矢印Ｒはその後方を示し、矢印ＲＩはその右側を、矢印Ｌはその左側を示している。
【００１８】
受け具の受け具本体１は、図４、５に示すように、被取付部位に固定される取付部２が縦長の帯状金属板によって形成され、取付部２の上部と下部に係止部３，４が設けられて構成される。取付部２には複数の固定孔が穿設され、その取付部２の右側面をゲーム機のキャビネット（本体枠）の内側に当てて固定する構造となっている。
【００１９】
取付部２の前端部には平面視で浅くＬ字状に曲折されたカバー縁部２ａが縦方向全体に沿って設けられる。カバー縁部２ａが断面Ｌ字状につまり取付部２の縁部に段差部を付けるように形成されるため、取付部２の長手方向の曲げ強度を補強している。また、このカバー縁部２ａは、受け具がゲーム機のキャビネット内に固定された状態で、カバー縁部２ａが前方に突出し、キャビネットの前扉を閉じたとき、カバー縁部２ａが前方に突出して前扉内に進入し、キャビネットと前扉の隙間を塞ぐことができるようになっている。
【００２０】
受け具本体１の取付部２の上部と下部に設けた係止部３，４は、曲折保持部５，６内に係止ピン７，８を水平に配置し、その両端部を固定して形成されている。上部の係止部３の曲折保持部５は、取付部２の金属板の背面部の一部を、左側に切り起し、平面をＬ字状とするように、切り起し部を直角に曲折して形成されている。また、下部の係止部４の曲折保持部６も、同様に、取付部２の金属板の背面部の一部を、左側に切り起し、平面をＬ字状とするように、それを直角に曲折して形成される。
【００２１】
上部の係止部３には、係止ピン７が、曲折保持部５と取付部２との間に、水平横方向に掛け渡す形態で固定されている。すなわち、１本の係止ピン７が曲折保持部５と取付部２により包囲する空間内に、正面視で水平横方向に配置され、係止ピン７の一端は取付部２に固定され、係止ピン７の他端は、取付部２に平行な曲折保持部５の先端曲げ部５ａに固定される。
【００２２】
同様に、下部の係止部４には、係止ピン８が、曲折保持部６と取付部２との間に水平横方向に掛け渡すように、つまり、１本の係止ピン８が曲折保持部６と取付部２により包囲する空間内に水平横方向に配置され、係止ピン８の両端が、取付部２と、取付部２に平行な曲折保持部６の先端曲げ部６ａとに、各々固定されている。
【００２３】
具体的には、受け具の製造時、受け具本体１の取付部２の上部位置及びその位置と対向する曲折保持部５の定位置に、予め取付孔が穿設され、取付部２の取付孔に係止ピン７の末端を嵌入し、曲折保持部５の先端曲げ部５ａの取付孔に係止ピン７の先端を嵌入した状態で、係止ピン７の先端をプレス加工によりかしめて、係止ピン７が受け具本体１の取付部２と曲折保持部５間に水平に掛け渡す形態で固定される。
【００２４】
受け具本体１の下部の係止部４においても、同様に、取付部２の下部位置及びその位置と対向する曲折保持部６の定位置に、予め取付孔が穿設され、取付部２の取付孔に係止ピン８の末端を嵌入し、曲折保持部６の先端曲げ部６ａの取付孔に係止ピン８の先端を嵌入した状態で、係止ピン８の先端をプレス加工によりかしめて、係止ピン８が受け具本体１の取付部２と曲折保持部５間に水平に掛け渡す形態で固定される。
【００２５】
係止ピン７，８としては、例えば頭付リベットを使用することができ、この場合、そのリベットを取付部２の取付孔にその右側から挿入し、その頭部を取付部２の右側面に残した状態で、リベットの先端部を曲折保持部５，６の先端曲げ部５ａ，６ａに設けた取付孔に嵌入し、その左側に突き出したリベットの先端をかしめて係止ピン７，８が固定される。なお、係止ピンとして、頭付リベットに代えて棒状ピンを用いる場合、ピンの先端と末端の両方をかしめて係止ピンを固定することもできる。
【００２６】
このように、受け具の製造時、受け具本体１に対し係止ピン７，８を、プレス加工のみの簡単で少ない工程により、強固に固定することができ、係止ピンを受け具本体に溶接する溶接工程を使用する場合に比べ、低コストで製造することができる。
【００２７】
さらに、図１，３に示すように、取付部２の上部に、受け支持部９が取り付けられ、ゲーム機の前扉を閉じる際、施錠装置本体２０の合成樹脂製の滑り支持部材３０がこの受け支持部９内に進入し、施錠装置つまり前扉のがたつきを上下左右から支持し、前扉の位置ずれを防止するようになっている。
【００２８】
つまり、受け支持部９は、施錠装置本体２０の滑り支持部材３０の上面、下面、及び左右の側面を包囲可能に形成され、前扉の閉鎖施錠時、施錠装置本体２０の滑り支持部材３０が受け支持部９内に進入し、滑り支持部材３０の上面３１、下面３２、及び左右の側面３３，３４が、受け支持部９内の上壁１０、下壁１１、及び左右の第１側壁１２、第２側壁１３に接触して支持される構造となっている。
【００２９】
この受け支持部９は、図４などに示すように、正面視略コ字状に曲折した金属板を、受け具本体１の取付部２の左側面に固定し、その内側に、取付部２の一部金属板を延設した延設部が、図１，２に示す如く、先端部を弾性変形可能に内側に傾斜させて設けられ、この延設部が第２側壁１３となって、滑り支持部材３０の側面３３を支持するようになっている。受け支持部９内の上壁１０と下壁１１は、図４等に示す如く、滑り支持部材３０の進入方向に向かってその間が狭くなるように傾斜して形成されている。
【００３０】
これにより、前扉を閉じた施錠時、滑り支持部材３０が受け支持部９内に進入したとき、閉鎖時に確実に滑り支持部材３０の上面と下面が上壁１０と下壁１１に接触し、滑り支持部材３０の両側の側面が第１側壁１２と第２側壁１３に確実に接触して支持されるようになっている。
【００３１】
次に、図６〜図１１を参照して、上記受け具と共に使用されるゲーム機用施錠装置の施錠装置本体２０について説明する。この施錠装置本体２０は、図６，８等に示すように、上記受け具の係止部３，４に係止される、上記係止部材としてのラッチ部材２１，２２を、基枠体１５の支持板１７の上部と下部に回動可能に枢支し、ラッチ部材２１，２２のラッチ凹部２１ａ、２２ａ内に、受け具の係止部３，４の係止ピン７，８を嵌入し拘束して施錠する構造である。
【００３２】
ラッチ部材２１，２２は、図１０（ａ）（ｂ）に示す如く、金属板により異形形状に形成されており、基枠体１５の支持板１７の一部に、支軸２８により略９０度の範囲内で回動可能に軸支される。また、ラッチ部材２１，２２の一部には溝状のラッチ凹部２１ａが形成され、前扉の閉鎖時、このラッチ凹部２１ａに係止ピン７，８を嵌入させ、その荷重によりラッチ部材２１，２２を回動させ、係止ピン７，８を拘束する構造である。ラッチ部材２１，２２と支持板１７間には、ばね部材２１ｃがかけられ、そのばね力により、ラッチ部材２１，２２はそのラッチ凹部２１ａを開放側に回動させるように付勢される。
【００３３】
したがって、前扉を閉じて施錠する際、ラッチ部材２１，２２は図１０（ａ）の時計方向にばね部材２１ｃのばね力に抗して回動し施錠状態となる。なお、図６〜図１０では、施錠装置本体２０のラッチ部材２１，２２が施錠位置に回動した状態を示している。
【００３４】
施錠装置本体２０は、縦長の基枠体１５を基体フレームとして形成される。基枠体１５は、略コ字状断面を有した略チャンネル材状に形成され、その底板を取付板１６とし、また、取付板１６に対し直角に曲折された幅広の支持板１７を有しており、取付板１６には複数の取付孔が穿設される。取付板１６の中間部下部寄りに、シリンダ錠１９を取り付けるための挿入孔が形成され、シリンダ錠１９は、図１１に示すように、その挿入孔に背面側から挿入され、そのフランジ１９ａを取付板１６の内側に当て、固定ねじで締付固定される。また、図１１の如く、シリンダ錠１９の錠軸の先端にカム部材１８が固定され、カム部材１８はシリンダ錠１９の解錠操作により正面視時計方向に回動し、このとき、カム部材１８が作動杆１４の係合部１４ａと係合し、作動杆１４を解錠側に上昇させるようになっている。
【００３５】
施錠装置本体２０の主要部つまりラッチ部材２１，２２を枢支した部分は、図５，７に示すように、薄く縦長のケース２３内に収納されている。ケース２３と支持板１７には、ラッチ部材２１，２２に対応した背面箇所に、各々開口凹部２４，２５が形成され、施錠時、この開口凹部２４，２５内に上記受け具の係止ピン７，８が進入し、ラッチ部材２１，２２の回動によりそのラッチ凹部２１ａ，２２ａに係止ピン７，８が係止されるようになっている。
【００３６】
ラッチ部材２１，２２は、枢軸を軸に所定の角度範囲内で回動可能に枢支され、図１０のように、解錠側に付勢するためのばね部材２１ｃが設けられている。また、ラッチ部材２１，２２の一部には係合凹部２１ｂが設けられ、前扉の閉鎖時に受け具の係止ピン７，８がラッチ凹部２１ａに進入し、ラッチ部材２１，２２が施錠位置まで回動したとき、その係合凹部２１ｂが係止部２６に係止されてラッチ部材２１，２２がロックされる構造となっている。
【００３７】
なお、この実施形態では、上記係止部材として、ケース２３内に配設されるラッチ部材２１，２２を使用しているが、施錠装置の支持板から背面側に突き出すように取り付ける構造の鉤部材を施錠装置の係止部材として使用することもできる。
【００３８】
係止部２６は、図１０に示すように、ピン状に形成され、支持板１７の上部に形成された長孔１７ａに係合して、上下に所定範囲で摺動可能に支持され、ピン状の係止部２６は支持板１７の内側に沿って配設された作動杆１４の上部に連結されている。また、図示は省略されているが、下側のラッチ部材２２についても係止部２６が設けられ、同様に支持板１７の下部に設けられた長孔に係合して、作動杆１４の下部に連結される構造となっている。
【００３９】
支持板１７の内側に配設された作動杆１４には、図示しないコイルばねが基枠体１５との間にかけられ、作動杆１４はそのばね力により常時下方に付勢される。これにより、作動杆１４の上部と下部の係止部２６が、上下のラッチ部材２１，２２の係合凹部２１ｂと係合可能とされ、前扉を閉じて、施錠装置本体２０の開口凹部２４，２５に、受け具本体１の係止部３，４が進入し、ラッチ部材２１，２２が、ばね部材２１ｃに付勢力に抗して、図１０（ａ）の時計方向に（押し下げるように）回動したとき、僅かに作動杆１４が下降して、ピン状の係止部２６がラッチ部材２１，２２の係合凹部２１ｂに係合し、ラッチ部材２１，２２を施錠位置でロックするようになっている。
【００４０】
一方、図１１に示すように、作動杆１４の中間部におけるカム部材１８と対向する位置には、係合部１４ａが設けられ、カム部材１８をシリンダ錠１９の解錠操作により正面視時計方向に回動させたとき、カム部材１８が作動杆１４の係合部１４ａと係合して、作動杆１４を上昇させる。このとき、ピン状の係止部２６がラッチ部材２１，２２の係合凹部２１ｂから外れ、ラッチ部材２１，２２はばね部材２１ｃのばね力により、解錠方向に回動して、解錠される構造となっている。
【００４１】
さらに、図６等に示すように、基枠体１５の支持板１７には、合成樹脂製の滑り支持部材３０が上記受け支持部９と対向する位置に、背面に向けて突設され、その位置が固定ねじ３０ａと長孔により調整可能に取り付けられている。なお、滑り支持部材３０は、セラミック製、金属製とすることもできる。滑り支持部材３０には、上面３１、下面３２、両側の側面３３，３４が形成され、上面３１と下面３２間は元部から先端にいくほど狭くなるように傾斜して形成され、同様に、両側の側面３３と側面３４間も元部から先端にいくほど狭くなるように傾斜して形成される。つまり、滑り支持部材３０は全体的に先細り形状となるように、上面３１、下面３２、両側の側面３３，３４が傾斜して形成されている。
【００４２】
これにより、前扉が閉じられる際、滑り支持部材３０が受け具本体１側の受け支持部９内に進入し、このとき、確実に滑り支持部材３０の上面３１と下面３２が受け支持部９の上壁１０と下壁１１に接触し、滑り支持部材３０の両側の側面３３，３４が受け支持部９の第１側壁１２と第２側壁１３に確実に接触して支持されるようになっている。
【００４３】
上記構成の施錠装置本体２０は、図１３に示すように、ゲーム機の前扉３６の内側に取付板１６を介して縦に固定され、キャビネット３７内の対向位置の側壁に受け具本体１が縦に取り付けられる。施錠装置本体２０のシリンダ錠１９の鍵口は、前扉３６の前面に露出する。
【００４４】
前扉３６をキャビネット３７に対し閉じると、図１２，１３のように、施錠装置本体２０の滑り支持部材３０が、先ず、受け具本体１の受け支持部９内に進入する。このとき、滑り支持部材３０の上面３１と下面３２が受け支持部９の上壁１０と下壁１１に接触し、滑り支持部材３０の両側の側面３３，３４が受け支持部９の第１側壁１２と第２側壁１３に接触しながら進入し、滑り支持部材３０及び受け支持部９内が全体的に先細り形状となっているので、施錠装置本体２０は前扉３６と共に施錠可能位置まで容易に到達する。
【００４５】
つまり、前扉３６がその自重により多少その位置が下げっている場合であっても、或いはヒンジ等の変形により前扉３６の位置に多少のずれがあっても、滑り支持部材３０が受け具本体１の受け支持部９内に進入することにより、その上面３１と下面３２が受け支持部９の上壁１０と下壁１１に接触し、滑り支持部材３０の両側の側面３３，３４が受け支持部９の第１側壁１２と第２側壁１３に接触しながら位置修正され、正確な施錠位置に到達する。特に、図１４等に示すように、受け支持部９の第２側壁１３は弾性変形可能に内側に傾斜して配設されているため、前扉３６または施錠装置本体２０に左右方法の位置ずれがある場合でも、容易に位置修正されて、施錠装置本体２０を受け具本体１に係合させることができる。
【００４６】
そして、施錠装置本体２０が受け具本体１に対し、施錠位置まで到達すると、受け具の係止部３，４の係止ピン７，８が、施錠装置本体２０の上部と下部の開口凹部２４，２５からラッチ部材２１，２２のラッチ凹部２１ａ，２２ａ内に進入する。このとき、受け具本体１の係止ピン７，８がラッチ部材２１，２２を押し込むように作用して、ラッチ部材２１，２２が図１３の反時計方向に回動する。このとき、ラッチ部材２１，２２が施錠回動端まで回動すると、図１５のように、係止部２６，２７がラッチ部材２１，２２の一部に設けた係合凹部２１ｂ、２２ｂに係止される。これにより、ラッチ部材２１，２２がロックされ、そのラッチ凹部２１ａ、２２ａに係止ピン７，８が拘束され、施錠状態となる。
【００４７】
ラッチ部材２１，２２が受け具の係止ピン７，８に係止されてロックされたとき、係止ピン７，８は、その基部と先端の両端部が、取付部２と平面をＬ字状とする曲折保持部５，６とに各々固定されるので、強固に係止ピン７，８とラッチ部材２１，２２がロック状態に保持される。また、このようなロック状態で、キャビネット３７に対し前扉３６を無理にこじ開けようとして、ラッチ部材２１，２２を介し係止ピン７，８に大きな荷重が印加された場合でも、係止ピン７，８及びラッチ部材２１，２２は変形せず、施錠状態を強固に保持することができる。
【００４８】
さらに、施錠状態においては、図１５に示すように、ラッチ部材２１，２２のラッチ凹部２１ａ，２２ａとそこに係止される係止ピン７，８が曲折保持部５，６により覆われてガードされることとなるので、不正解錠を目的としてゲーム機内に不正器具などが差し込まれたとき、ラッチ部材２１，２２や係止ピン７，８に対し不正アクセスする行為を阻止することができる。
【００４９】
このように、ゲーム機のキャビネット３７に対し前扉３６を閉鎖して施錠した際、施錠装置の基枠体１５の滑り支持部材３０が受け具本体１の受け支持部９内に進入し、滑り支持部材３０の上面３１、下面３２、及び左右の側面３３，３４が、受け支持部９内の上壁１０、下壁１１、及び左右の第１側壁１２、第２側壁１３に接触して支持される状態となるので、前扉３６の重量を支持すると共に、施錠装置と受け具の係合状態を、がたつきなく強固に保持し、閉鎖時の前扉３６を定位置に保持することができる。また、不正な外力がゲーム機の前扉３６の上下方向或いは左右方向に加えられた場合でも、滑り支持部材３０と受け支持部９間でその外力を支持し、前扉３６の位置ずれを防止することができる。
【００５０】
つまり、受け支持部９は、受け具本体１に、正面視略コ字状に曲折した金属板を固定すると共に、受け具本体１の取付部２の一部を延設して、第２側壁１３を弾性変形可能にその先端を内側に傾斜させて形成され、受け支持部９の上壁１０と下壁１１が、滑り支持部材３０の進入方向に向かってその間が狭くなるように傾斜して形成されるので、前扉３６の閉鎖施錠時、施錠装置の基枠体１５の滑り支持部材３０が受け具の受け支持部９内に進入したとき、滑り支持部材３０の上面３１、下面３２、及び左右の側面３３、３４が、確実に、受け支持部９内の上壁１０、下壁１１、左右の第１側壁１２、第２側壁１３に確実に接触し、前扉３６の重量を支持すると共に、施錠装置と受け具の係合状態を、一層がたつきなく強固に保持することができる。
【００５１】
図１７〜図１９は他の実施形態の施錠装置を示している。この実施形態の施錠装置は、上記滑り支持部材３０に代えて、支持ローラ５０が施錠装置本体２０の基枠体１５に取り付けられている。施錠装置の主要部分については、上記施錠装置の構成と同じであり、同一部分については、上記と同じ符号を図に付して、その説明を省略する。
【００５２】
図１７等に示すように、施錠装置の基枠体１５に支持ローラ５０が、キャビネット（本体枠）３７側の受け具本体１に向けて、取り付けられる。支持ローラ５０は、基枠体１５の支持板１７の一部に、軸支部５３が背面側に突出して設けられ、その軸支部５３に支持ローラ５０が水平横方向の支軸５４を介して回転自在に軸支して構成される。つまり、支持ローラ５０はその周面５１が上下及び前後を向くように、水平の軸により鉛直姿勢で軸支され、その側面５２が後述の受け支持部３９の側壁４２に接触可能に配設される。
【００５３】
一方、受け具本体１には、支持ローラ５０が内側に進入可能な受け支持部３９が設けられる。受け支持部３９は、金属板を略コ字状に曲折した部材を受け具本体１の取付部２に固定して形成され、受け支持部３９内には上壁４０、下壁４１、及び側壁４２が設けられ、支持ローラ５０が受け支持部３９内に進入可能な形状に形成されている。図１８に示すように、側壁４２は背面に向かって内側が狭くなるように傾斜して形成され、また、上壁４０と下壁４１間は背面に向かうほどその間の距離が狭くなるように、上壁４０の背面部は少し内側に傾斜して形成される。なお、受け支持部３９の側壁は正面視左側のみに設けられているが、支持ローラ５０と接触可能な側壁を、正面視右側にも設け、両側に側壁を設けることもできる。
【００５４】
施錠装置本体２０は、上記と同様に図１８に示す如く、ゲーム機の前扉３６の内側に取付板１６を介して縦に固定され、キャビネット３７内の対向位置の側壁に受け具本体１が縦に取り付けられる。
【００５５】
前扉３６がキャビネット３７に対し閉鎖され、施錠装置本体２０と受け具本体１の係合する際、施錠装置の基枠体１５の支持ローラ５０は、図１８のように、受け支持部３９内に進入し、支持ローラ５０の周面５１が、受け支持部３９内の上壁４０、下壁４１に接触し、支持ローラ５０の側面５２が側壁４２に接触して支持される状態となる。
【００５６】
すなわち、閉鎖時、支持ローラ５０は、先ず、下壁４１に乗り上げて前扉３６の自重を支持しながら転動し、受け支持部３９内を奥に進入し、続いて図１８のように、支持ローラ５０の側面５２が側壁４２に接触した状態で、施錠装置本体２０のラッチ部材２１，２２が係止ピン７，８に係止され、施錠状態となる。
【００５７】
施錠状態では、図１８等に示す如く、支持ローラ５０の一方の側面５２が側壁４２に接触するのみであるが、受け支持部３９内に、側壁４２の対向側に他方の側壁を設け、支持ローラ５０の他方の側面をその側壁に接触させるようにすることもできる。然るに、閉鎖施錠時、施錠装置本体２０の支持板１７は正面視で受け具本体１の取付部２の左側に係合し或いは係合可能な状態となるので、支持ローラ５０の一方の側面５２が側壁４２に接触して支持されるのみで、前扉３６の施錠装置本体２０はがたつきなく施錠され、左右の位置ずれを防止することができる。
【００５８】
このように、キャビネット３７に対し前扉３６を閉鎖して施錠した際、施錠装置の基枠体１５の支持ローラ５０が受け具本体１の受け支持部３９内に進入し、支持ローラ５０の周面５１が、受け支持部３９内の上壁４０、下壁４１に接触し、支持ローラ５０の側面５２が受け支持部３９の側壁４２に接触して支持されるので、前扉３６の重量を支持すると共に、施錠装置本体２０と受け具本体１の係合状態を、がたつきなく強固に保持することができる。また、不正な外力がゲーム機の前扉３６の上下方向或いは左右方向に加えられた場合、支持ローラ５０と受け支持部３９の係合によりその間で外力を支持し、前扉３６の位置ずれを防止することができる。
【符号の説明】
【００５９】
１      受け具本体
２      取付部
２ａ    カバー縁部
３      係止部
４      係止部
５      曲折保持部
５ａ    先端曲げ部
６      曲折保持部
６ａ    先端曲げ部
７      係止ピン
８      係止ピン
９      受け支持部
１０    上壁
１１    下壁
１２    第１側壁
１３    第２側壁
１４    作動杆
１４ａ  係合部
１５    基枠体
１６    取付板
１７    支持板
１７ａ  長孔
１８    カム部材
１９    シリンダ錠
１９ａ  フランジ
２０    施錠装置本体
２１    ラッチ部材
２１ａ  ラッチ凹部
２１ｂ  係合凹部
２１ｃ  ばね部材
２２    ラッチ部材
２３    ケース
２３ｂ  カバー
２４    開口凹部
２６    係止部
２８    支軸
３０    滑り支持部材
３１    上面
３２    下面
３３    側面
３４    側面
３６    前扉
３７    キャビネット
【図１】
0005474894.tif 000002
【図２】
0005474894.tif 000003
【図３】
0005474894.tif 000004
【図４】
0005474894.tif 000005
【図５】
0005474894.tif 000006
【図６】
0005474894.tif 000007
【図７】
0005474894.tif 000008
【図８】
0005474894.tif 000009
【図９】
0005474894.tif 000010
【図１０】
0005474894.tif 000011
【図１１】
0005474894.tif 000012
【図１２】
0005474894.tif 000013
【図１３】
0005474894.tif 000014
【図１４】
0005474894.tif 000015
【図１５】
0005474894.tif 000016
【図１６】
0005474894.tif 000017
【図１７】
0005474894.tif 000018
【図１８】
0005474894.tif 000019
【図１９】
0005474894.tif 000020